(57)【要約】【課題】メンテナンス作業がやり易い画像形成装置を提供する。【解決手段】複数の電装基板類１４，１５，１６を装置本体２０に備えた画像形成装置において、それぞれの電装基板類を装置本体２０に対して挿入方向Ａと引出方向Ｂとに移動可能な１つの電装ユニット２５として構成する、装置本体２０と電装ユニット２５には、電装ユニット２５を引出方向Ｂに移動させた時に、その移動を規定する規制手段１７として互いに係合する突起１８，１９をそれぞれ設ける。【選択図】                    図４
2004249584.tif 000002
【特許請求の範囲】
【請求項１】
複数の電装基板類を装置本体に備えた画像形成装置において、
それぞれの電装基板類を前記装置本体に対して挿入方向と引出方向とに移動可能な１つの電装ユニットとして構成するとともに、前記電装ユニットを前記引出方向に移動させたときに、その移動を規定する規制手段を設けた特徴とする画像形成装置。
【請求項２】
請求項１記載の画像形成装置において、
前記規制手段は、前記装置本体と前記電装ユニットにそれぞれ設けられていて、前記電装ユニットを前記装置本体から引出方向に移動させた際に互いに係合する突起で構成されていることを特徴とする画像形成装置。
【請求項３】
請求項２記載の画像形成装置において、
前記突起は、互いに係合した状態から前記電装ユニットを更に引出方向に移動させた際に、一方の突起が他方の突起を乗り越える形状とされていることを特徴とする画像形成装置。
【請求項４】
請求項１、２または３記載の画像形成装置において、
前記電装ユニットは、前記装置本体の設置面まで届き、前記電装ユニットを挿入方向と引出方向へ移動する際に、その移動の支えとなる支持部を有することを特徴とする画像計形成装置。
【請求項５】
請求項４記載の画像形成装置において、
前記支持部は、前記設置面との間に保護部が設けられていることを特徴とする画像形成装置。
【請求項６】
請求項５記載の画像形成装置において、
前記保護部に前記電装ユニットを移動させる際の握手部を一体的に設けたことを特徴とする画像形成装置。
【請求項７】
請求項５または６記載の画像形成装置において、
前記保護部は、ゴム製であることを特徴とする画像形成装置。
【請求項８】
請求項１ないし７の何れかに記載の画像係形成装置において、
前記電装基板類は、電源装置、複合高圧電源、エンジンボードで構成されていることを特徴とする画像形成装置。
【発明の詳細な説明】
【０００１】
【産業上の利用分野】
本発明は、複数の電装基板類を備えた電装ユニット及びこれら電装ユニットを備えた複写機、プリンタ、ファクシミリ、これらの複合機等の画像形成装置に関する。
【０００２】
【従来技術】
複写機、プリンタ、ファクシミリ等の画像形成装置においては、モータ、センサといった電装部品の起動、制御等を行うために、電源装置、複合高圧電源、エンジンボードといった複数の電装基板類が用いられている。これらの電装基板類は、画像形成装置の異常動作時にメンテナンス作業が伴うが、装置のレイアウトの関係等から画像形成装置の異なる箇所に配置されている。このため、電装基板類のメンテナンス時には、画像形成装置の様々な方向から必要な電装基板へアクセスして取り外さなければならず面倒であった。
このような背景の中、特許文献１には、複数の電気部品を集約して構成した電装部を上下方向に開閉可能にし、保持部材を用いることで、電装部を装置に対して開いた状態で保持することができる画像形成装置が記載されている。
【０００３】
【特許文献１】
特開２００１−３３４７２５号公報
【０００４】
【発明が解決しようとする課題】
特許文献１に記載の画像形成装置では、複数の電装基板としての電気部品が上下方向に開閉可能な電装部に集約され、保持部材によって装置に対して開状態とされているが、装置に対して着脱自在とはされていない。このため、電装部の電気部品の配置場所によっては、電装部や装置の影となる部品があり、メンテナンス作業がやり難いといった課題を含んでいる。
本発明は、メンテナンス作業がやり易い画像形成装置を提供することを目的とする。
【０００５】
【課題を解決するための手段】
上記目的を達成するため、請求項１では、複数の電装基板類を装置本体に備えた画像形成装置において、それぞれの電装基板類を前記装置本体に対して挿入方向と引出方向とに移動可能な１つの電装ユニットとして構成するとともに、電装ユニットを引出方向に移動させたときに、その移動を規定する規制手段を設けている。このため、作業者は電装基板類のメンテナンス時に電装ユニットを装置本体から取り外すことで、一度に複数の基板を装置本体から外すことができるとともに、電装ユニットを不用意に装置本体から落下させて事がなくなる。
【０００６】
規制手段は、装置本体と電装ユニットにそれぞれ設けられていて、電装ユニットを装置本体から引出方向に移動させた際に互いに係合する突起で構成している。この突起は、互いに係合した状態から前記電装ユニットを更に引出方向に移動させた際に、一方の突起が他方の突起を乗り越える形状とされている。このため、電装基板類のメンテナンス時に、電装ユニットの不用意な装置本体からの落下を防ぎながら、引出方向への操作によりワンアクションで装置本体から完全に取り外すことができる。
【０００７】
電装ユニットに、装置本体の設置面まで届き、電装ユニットを挿入方向と引出方向へ移動する際に、その移動の支えとなる支持部を設ける構成とすると、電装ユニットの着脱動作時に、支持部によって電装ユニットが支えられることになる。このため電装ユニットの重量による作業者への負荷を軽減させることができるので好ましい。
【０００８】
支持部と設置面との間に保護部を設ける構成とすると、電装ユニットを挿入方向と引出方向へ移動する際における支持府と設置面との擦れを防ぐことができるので好ましい。
【０００９】
この保護部に電装ユニットを移動させる際の握手部を一体的に設けると、画像形成装置の総部品点数を削減でき、コストを抑えられる。保護部をゴム製とすると、電装ユニットを引出て置く際の電装ユニットの支持部と設置面との摺動や干渉による衝撃が低減され、作業時の静粛性につながる。
本発明において、電装基板類は、少なくとも電源装置、複合高圧電源、エンジンボードとしている。
【００１０】
【発明の実施の形態】
以下、図面を用いて本発明の実施の形態を説明する。図１は、画像形成装置としてのカラープリンターの内部概略構成を示す。カラープリンターは、装置本体２０の下部に記録材として用紙３を収納する給紙部となる給紙カセット２が配設されている。給紙カセット２内の用紙３は、給紙カセット２の近傍に配設された給紙コロ４によって装置本体２０内に搬送される。装置本体２０内には、書き込みユニット１と、このユニット１内でイエロー、シアン、マゼンタおよび黒の各色成分毎に色分解されたレーザー光がそれぞれ照射される像担持体としてのドラム状の感光体６０Ｂ，６０Ｃ，６０Ｍ，６０Ｙを備えたトナー作像カートリッジ６Ｂ，６Ｃ，６Ｍ，６Ｙと、各作像カートリッジにより形成されたトナー画像が２次転写される中間転写体を構成する中間転写ベルト７と、中間転写ベルト７に転写されたトナー画像を用紙３に転写する転写部８と、転写されたトナー画像を用紙３に定着する定着部９と、定着された用紙３を装置本体２０の外部に搬送する排出コロ１０とを備えている。転写部８は、中間転写ベルト７と、このベルトに対向配置された転写部材としての転写ローラ８Ａとで構成されている。
【００１１】
書き込みユニット１からのレーザー光が各感光体に照射されると、各感光体上に潜像が形成される。これらの静電潜像は、各感光体に隣接して配置された図示しない現像装置により顕像化され、中間転写ベルト７上に一次転写される。給紙ローラ４によって装置本体２０内に搬送される用紙３は、転写部８の手前に設けられたレジストローラ対５によって送り出しタイミングが計られて搬送され、転写部８において中間転写ベルト７上に形成された１次トナー画像を２次転写される。トナー画像が転写された用紙３は、定着部９を通過することで画像定着が行われ、装置本体２０の上部に形成された排紙部１１に排出コロ１０によって排出される。
【００１２】
本形態において、排紙部１１の下方には、作像カートリッジ６Ｙ，６Ｍ，６Ｃ，６Ｂへ各色のトナーを供給するためのトナーボトル１２Ｙ，１２Ｍ，１２Ｃ，１２Ｂが配設されている。各トナーボトル、中間転写ベルト７、各作像カートリッジは、装置本体２０に対して同一方向に傾斜して配設されていて、装置本体２０の背面２０Ａ側に余剰空間を形成している。本形態においては、書き込みユニット１も同様に傾斜して配設されていて、給紙カセット２との間に余剰空間を形成している。
【００１３】
カラープリンターは、上記の余剰空間に電装ユニット２５とを備えている。この電装ユニット２５は、図２に示すように、複数の電装基板類として電源装置（以下「ＰＳＵ」と記す）１４、複合高圧電源（以下「ＨＶＰ」と記す）１５、エンジンボード（以下「ＢＣＵ」と記す）１６を備えている。電装ユニット２５は、ＰＳＵ１４、ＨＶＰ１５、ＢＣＵ１６それぞれを装置本体２０の一方向である背面２０Ａ側から装置本体２０に対して矢印Ａで示す挿入方向と矢印Ｂで示す引出方向とに移動可能で着脱可能な１つのユニットとして構成されている。背面２０Ａには、電装ユニット２５を着脱するための開口部１９が形成されている。
【００１４】
電装ユニット２５は、図３に示すように、板金加工されて形成された複数のブラケット２２，２３を備えている。ブラケット２２は、図３において断面Ｌ字形状をなし、その底面２２ａが装置本体２０の内部に設けられたフレーム２１に、挿入方向Ａと引出方向Ｂにスライド可能に載置されている。底面２２ａに対して略垂直に立ち上がった縦壁２２ｂは、電装ユニット２５を装置本体２０に設置した際の装置背面を構成するようになっている。ブラケット２３は、断面コの字状を成し、底面２２ａに固定されている。ＰＳＵ１４は、ブラケット２３よりも上方にする縦壁２２ｂに、ＨＶＰ１５はブラケット２３の上面に、ＢＣＵ１６は底面２２ａにそれぞれ着脱可能に装着されている。縦壁２２ｂには、電装ユニット２５を装置本体２０に装着固定するための図示しない孔が複数形成されている。
開口部２０ｂの周囲には、上記ビスがねじ込まれる取付部が形成されている。
【００１５】
このカラープリンターは、電装ユニット２５を引出方向Ｂに移動させたときに、その移動を規定する規制手段としてストッパ１７が設けられている。ストッパ１７は、装置本体２０のフレーム２１と電装ユニット２５の底面２２ａにそれぞれ設けられていて、電装ユニット２５を装置本体２０から引出方向Ｂに移動させた際に互いに係合する突起１８，１９で構成されている。突起１８は装置本体２０の内部寄り位置する底面２２ａの端部に、突起１９は開口部２０Ｂよりに位置するフレーム１９の端部にそれぞれ配置されている。これら突起１８，１９は、互いに係合した状態から電装ユニット２５を更に引出方向Ｂに移動させた際に、一方の突起となる移動側の突起１８が他方の突起となる固定側の突起１９を乗り越える形状とされている。本形態において、突起１８，１９は、その形状を図３に示すように断面三角形状とされていて、互いの頂部が引出方向Ｂと直行する垂直方向に位置するように配設されている。
【００１６】
このような電装ユニット２５の構成において、装置本体２０内に装着状態にある電装ユニット２５を取り外すには、図示しない作業者により図示しないビスを緩める。そして、図４に示すように、電装ユニット２５を装置本体２０から引出方向Ｂと直行する垂直方向に突出した突起と粒引出方向Ｂに向かって引っ張ると、電装ユニット２５がフレーム２１上を水平方向に滑りながら装置本体２０の外部に引き出される。
【００１７】
電装ユニット２５の引出方向Ｂへの移動が進むと、電装ユニット２５と一体となって移動する突起１８が固定側の突起１９と係合して電装ユニット２５の移動が規制される。このため、電装ユニット２５が不用意に装置本体２０から外れて落下することがなくなる。
【００１８】
突起１８，１９が係合した状態から更に電装ユニット２５を引出方向Ｂに移動させると、突起１８の傾斜面１８ａが突起１９の傾斜面１９ａを乗り越える。このため、電装ユニット２５を完全に装置本体２０から取り外すことができるので、各基盤の交換や点検作業を非常にやり易くなる。電装基板類の一例であるＰＳＵ１４、ＨＶＰ１５、ＢＣＵ１６とを１つのユニットとしたので、作業者は一方向からのアクセス方法でメンテナンスすべき基板に辿り着け、メンテナンス時の複雑な分解作業から開放され、メンテナンス時の作業性がやり易くなる。ＰＳＵ１４、ＨＶＰ１５、ＢＣＵ１６のメンテナンス時に電装ユニット２５を装置本体２０から取り外すことで、一度にこれら複数の基板類を装置本体２０から外せると共に、外した状態で各部を取り外してメンテナンス作業を行えるので、メンテナンス時の作業性がよりやり易くなる。
【００１９】
突起１８，１９の突出量によっては、単に引出方向Ｂに引いただけでは、突起１８が突起１９を乗り越えられない場合も想定されるので、このような場合には、突起１８，１９が係合した状態で電装ユニット２５を上方に向かって持ち上げながら引出方向に引く。すると、傾斜面１８ａと傾斜面１９ａの接触面積が低減するので、突起１９を容易に乗り越えられるようになる。
【００２０】
このように、突起１８，１９の係合は、電装ユニット２５の引出方向Ｂへの一連の動作によって解除されるので、電装基板類のメンテナンス時に、複雑な解除動作や解除操作をすることなく電装ユニット２５をワンアクションで簡単に装置本体２０から取り外すことができるようになり、メンテナンス作業の簡便化を図れる。
【００２１】
電装ユニット２５を装着するには、ブラケット２２をＢＣＵ１６側から開口部２０Ｂ内に突起１８が突起１９を超える位置まで挿入する。そして、挿入方向Ａに向かって押してフレーム２１上を水平方向に滑らせて装置本体２０の内部に押し込み、図示しないビスを取付部に締結することで完了する。
【００２２】
図５は、電装ユニット２５に、装置本体２０の設置面３１まで届き、電装ユニット２５を挿入方向Ａと引出方向Ｂへ移動する際に、その移動の支えとなる支持部２７を設けた形態を示す。
【００２３】
支持部２７は、ブラケット２２の縦壁２２ｂと連続する平面を成すようにブラケット２２に一体的に形成されていて、その下部２７ａを支持部２７の厚さよりも長くなるように略直角に曲げた屈曲部２８で設置面３１と面接触させている。
【００２４】
このように電装ユニット２５に支持部２７を設けると、このユニットを挿入方向Ａや引出方向Ｂに移動させる際に、支持部２７によって電装ユニット２５が下方から支えられるので、電装ユニット２５自体の重量による作業者への負荷を軽減することができ、電装ユニット２５の着脱時の作業性をより向上することができる。また、支持部２７と設置面３１とが支持部２７の厚さよりも長く折り曲げられた屈曲部２８で面接触しているので、電装ユニット２５を支持する安定性が、支持部２７の端面で支持する場合より向上する。
【００２５】
図６は、図５に示す支持部２７と設置面３１との間に保護部となる足部２９を設けた形態を示す。この足部２７は、支持部２７の屈曲部２８の少なくとも幅方向に位置する両端にそれぞれ１つずつ樹脂でモールド形成されていて、設置面３１と接触している。本形態の場合、装置本体２０は、その背面２０Ａに、足部２９を収納するための段部２０Ｃが形成されていて、電装ユニット２５が装置本体２０に装着された際に、足部２９を収納できるように構成されている。
【００２６】
このように樹脂製の足部２９を設置面３１と支持部２７との間に設けることで、電装ユニット２５を挿入方向Ａや引出方向Ｂに摺動移動させた時に設置面３１の傷付きを防止することができる。
【００２７】
図７は、図６に示す各足部２９に電装ユニット２５を移動させる際の握手部３０を一体的に設けた形態を示す。握手部３０は、支持部２７を引出方向Ｂに突き抜けるように、すなわち、支持部２７よりも引出方向Ｂに突出するように形成されている。握手部３０は，図８に示すように、断面四角形状であり、支持部２７から突出する部分が細くしぼり込まれていて、手に馴染む形状とされている。
【００２８】
このように電装ユニット２５の支持部２７に設けた複数の足部２９にそれぞれ電装ユニット２５を移動させる際の握手部３０を一体成型しているので、画像形成装置の総部品点数を削減して製品のコストを抑えることができる。
【００２９】
上記形態において保護部となる足部は樹脂製としたが、ゴムにて成型してもよい。このようにゴム製とすると、電装ユニット２５の移動に伴う足部２９と設置面３１との摺動、干渉による衝撃を緩和することができる。
【００３０】
【発明の効果】
本発明によれば、画像形成装置に用いられている複数の電装基板類が１つの電装ユニットして構成されているので、電装基板類のメンテナンス時に電装ユニットを装置本体から取り外すことで、一度に複数の基板を装置本体から外すことができ、メンテナンス時の複雑な分割作業が解消されてメンテナンス作業がやり易くなる。また、電装ユニットを装置本体から引き出す時には、規制手段によってその引き出し位置が規制されるので、電装ユニットが不用意に装置本体から落下することを防止することができ、作業性の安全性を向上させることができるとともに、ユニットの落下による破損を防止することができる。
【００３１】
本発明によれば、互いに係合した状態から電装ユニットを更に引出方向に移動させた際に、規制手段を構成する一方の突起が他方の突起を乗り越える形状とされているので、電装基板類のメンテナンス時に、電装ユニットの不用意な装置本体からの落下を防ぎながら、引出方向への操作によりワンアクションで装置本体から完全に取り外すことができ、メンテナンス作業の簡便化を図ることができる。
【００３２】
本発明によれば、電装ユニットに、装置本体の設置面まで届き、電装ユニットを挿入方向と引出方向へ移動する際に、その移動の支えとなる支持部を設けたので、電装ユニットの着脱動作時に、支持部によって電装ユニットが支えられることになる。このため、電装ユニットの落下を確実に防止してユニットの破損をより防止しながら、電装ユニットの重量による作業者への負荷を軽減させることができ、メンテナンス作業の効率化を図れる。
【００３３】
本発明によれば、支持部と設置面との間に保護部を設けることで、電装ユニットを挿入方向と引出方向へ移動する際における支持府と設置面との擦れを防ぐことができる。
【００３４】
本発明によれば、保護部に電装ユニットを移動させる際の握手部を一体的に設けることで、画像形成装置の総部品点数を削減でき、装置コストを抑えることができる。
【００３５】
本発明によれば、保護部をゴム製とすると、電装ユニットを引き出して置く際の電装ユニットの支持部と設置面との摺動や干渉による衝撃が低減され、作業時の静粛性につながる。
【図面の簡単な説明】
【図１】本発明に係る電装ユニットを備えた画像形成装置の内部構成の示す概略図である。
【図２】電装ユニットの装着状態の概略構成を示す斜視図である。
【図３】電装ユニットと規制手段の構成を示す装置の部分破断図である。
【図４】電装ユニットの引き出し動作と規制手段の作用を示す拡大図である。
【図５】支持部を設けた電装ユニットを備えた画像形成装置の概略構成を示す斜視図である。
【図６】支持部に保護部が設けられた電装ユニットの構成と引き出し状態を示す拡大図である。
【図７】握手部を一体化された保護部を備えた電装ユニットの部分拡大図である。
【図８】握手部を一体化された保護部の構成を示す斜視図である。
【符号の説明】
１４，１５，１６    電装基板類
１７    規制手段
１８，１９    突起
２０    装置本体
２５    電装ユニット
３１    設置面
２７    支持部
２９    保護部
３０    握手部
Ａ    挿入方向
Ｂ    引出方向
【図１】
2004249584.tif 000003
【図２】
2004249584.tif 000004
【図３】
2004249584.tif 000005
【図４】
2004249584.tif 000006
【図５】
2004249584.tif 000007
【図６】
2004249584.tif 000008
【図７】
2004249584.tif 000009
【図８】
2004249584.tif 000010